(57)【要約】【課題】コピー時でもプリント時でも階調特性を目標値に合わせることができる高精度なキャリブレーション（階調補正）を行う。【解決手段】スキャナ補正データ作成部９１は、オフセット印刷等により作成された基準原稿画像の画像データに基づいて、スキャナ補正データを作成してスキャナ補正データ格納部９２に格納する。階調補正データ作成部９３は、スキャナ部７７により読み取られたテスト画像の画像データに基づいてコピー画像用の階調補正データを作成し、テスト画像データをスキャナ補正データにより補正した後の画像データに基づいてプリント画像用の階調補正データを作成して階調補正データ格納部９４に格納する。階調補正処理部９５は、コピー用画像データの階調をコピー画像用の階調補正データに基づいて補正し、プリント用画像データの階調をプリント画像用の階調補正データに基づいて補正する。【選択図】図２１
2008022304.tif 000002
【特許請求の範囲】
【請求項１】
原稿を読み取って画像データに変換する画像読取手段と、
前記画像読取手段により読み取られた画像データの階調を補正する第１の階調補正データと前記画像読取手段により読み取られた画像データ以外の画像データの階調を補正する第２の階調補正データを格納するための第１の格納手段と、
前記画像読取手段により読み取られた画像データの階調を前記第１の格納手段に格納されている前記第１の階調補正データに基づいて補正し、前記画像読取手段により読み取られた画像データ以外の画像データの階調を前記第２の階調補正データに基づいて補正する階調補正手段と、
前記階調補正手段により階調補正が行なわれた後の画像データに基づいて形成した画像を出力する画像出力手段と、
前記画像読取手段の階調特性を補正するための画像読取手段補正データを格納するための第２の格納手段と、
所定のテスト画像データに基づいて形成したテスト画像を前記画像出力手段から出力させるテスト画像出力手段と、
前記画像読取手段により読み取られた前記テスト画像の画像データに基づいて前記第１の階調補正データを作成し、前記画像読取手段により読み取られた前記テスト画像の画像データに基づき前記第２の格納手段に格納された画像読取手段補正データを適用して前記第２の階調補正データを作成して前記第１の格納手段に格納する階調補正データ作成手段と、
を有する画像形成装置。
【請求項２】
前記階調補正データ作成手段は、前記第１の階調補正データを作成する前記テスト画像と、前記第２の階調補正データを作成する前記テスト画像が共通で、前記画像読取手段により読み取られた共通のテスト画像の画像データに基づいて前記第１および第２の階調補正データを同一の処理により作成する請求項１記載の画像形成装置。
【請求項３】
原稿を読み取って画像データに変換する画像読取手段と、
前記画像読取手段により読み取られた画像データの階調を補正する第１の階調補正データと前記画像読取手段により読み取られた画像データ以外の画像データの階調を補正する第２の階調補正データを格納するための第１の格納手段と、
前記画像読取手段により読み取られた画像データの階調を前記第１の格納手段に格納されている前記第１の階調補正データに基づいて補正し、前記画像読取手段により読み取られた画像データ以外の画像データの階調を前記第２の階調補正データに基づいて補正する階調補正手段と、
前記階調補正手段により階調補正が行なわれた後の画像データに基づいて形成した画像を出力する画像出力手段と、
前記画像読取手段の階調特性を補正するための画像読取手段補正データを格納するための第２の格納手段と、
前記第１または第２の階調補正データの作成の際に前記第２の格納手段に格納された画像読取手段補正データを適用するか否かを選択する選択手段と、
所定のテスト画像データに基づいて形成したテスト画像を前記画像出力手段から出力させるテスト画像出力手段と、
前記画像読取手段により読み取られた前記テスト画像の画像データおよび前記選択手段の選択結果に基づいて、前記第１および第２の階調補正データを作成して前記第１の格納手段に格納する階調補正データ作成手段と、
を有する画像形成装置。
【請求項４】
前記画像読取手段は、読み取った画像データに対して当該画像読取手段を特定する情報を属性データとして付加し、
前記階調補正手段は、階調補正を行なおうとする画像データから属性データを抽出し、抽出された属性データに基づいて当該画像データが前記画像読取手段により読み取られた画像データであるか否かを判定する請求項１から３のいずれか１項記載の画像形成装置。
【請求項５】
原稿を読み取って画像データに変換する複数の画像読取手段と、
前記画像読取手段により読み取られた画像データの階調を補正する第１の階調補正データと前記画像読取手段により読み取られた画像データ以外の画像データの階調を補正する第２の階調補正データを格納するための第１の格納手段と、
前記複数の画像読取手段のうちのある画像読取手段により読み取られた画像データの階調を前記第１の格納手段に格納されている複数の第１の階調補正データのうちの対応する第１の階調補正データに基づいて補正し、前記複数の画像読取手段により読み取られた画像データ以外の画像データの階調を前記第２の階調補正データに基づいて補正する階調補正手段と、
前記階調補正手段により階調補正が行なわれた後の画像データに基づいて形成した画像を出力する画像出力手段と、
前記複数の画像読取手段の階調特性をそれぞれ補正するための複数の画像読取手段補正データを格納するための第２の格納手段と、
所定のテスト画像データに基づいて形成したテスト画像を前記画像出力手段から出力させるテスト画像出力手段と、
前記複数の画像読取手段により読み取られた前記テスト画像の画像データに基づいて前記複数の第１の階調補正データをそれぞれ作成し、前記複数の画像読取手段のうちのある画像読取手段により読み取られた前記テスト画像の画像データに基づき前記第２の格納手段に格納された複数の画像読取手段補正データのうちの対応する画像読取手段補正データを適用して前記第２の階調補正データを作成して前記第１の格納手段に格納する階調補正データ作成手段と、
を有する画像形成装置。
【請求項６】
前記複数の画像読取手段は、読み取った画像データに対して当該画像読取手段を特定する情報を属性データとして付加し、
前記階調補正手段は、階調補正を行なおうとする画像データから属性データを抽出し、抽出された属性データに基づいて当該画像データが読み取られた画像読取手段を前記複数の画像読取手段のうちから特定し、特定された画像読取手段に対応した第１の階調補正データを選択する請求項５記載の画像形成装置。
【請求項７】
前記画像読取手段により読み取られた基準原稿画像に基づいて画像読取手段補正データを作成して前記第２の格納手段に格納する画像読取手段補正データ作成手段をさらに有する請求項１から６のいずれか１項記載の画像形成装置。
【請求項８】
画像読取手段により読み取られた画像データの階調を補正する第１の階調補正データと前記画像読取手段により読み取られた画像データ以外の画像データの階調を補正する第２の階調補正データを格納するための第１の格納手段と、
画像読取手段により読み取られた画像データの階調を前記第１の格納手段に格納されている前記第１の階調補正データに基づいて補正し、画像読取手段により読み取られた画像データ以外の画像データの階調を前記第２の階調補正データに基づいて補正する階調補正手段と、
画像読取手段の階調特性を補正するための画像読取手段補正データを格納するための第２の格納手段と、
所定のテスト画像データに基づいて形成したテスト画像を前記画像出力手段から出力させるテスト画像出力手段と、
画像読取手段により読み取られた前記テスト画像の画像データに基づいて前記第１の階調補正データを作成し、画像読取手段により読み取られた前記テスト画像の画像データに基づき前記第２の格納手段に格納された画像読取手段補正データを適用して前記第２の階調補正データを作成して前記第１の格納手段に格納する階調補正データ作成手段と、
を有するプリンタキャリブレーション装置。
【請求項９】
前記階調補正データ作成手段は、前記第１の階調補正データを作成する前記テスト画像と、前記第２の階調補正データを作成する前記テスト画像が共通で、前記画像読取手段により読み取られた共通のテスト画像の画像データに基づいて前記第１および第２の階調補正データを同一の処理により作成する請求項８記載のプリンタキャリブレーション装置。
【請求項１０】
画像読取手段により読み取られた画像データの階調を補正する第１の階調補正データと画像読取手段により読み取られた画像データ以外の画像データの階調を補正する第２の階調補正データを格納するための第１の格納手段と、
画像読取手段により読み取られた画像データの階調を前記第１の格納手段に格納されている前記第１の階調補正データに基づいて補正し、画像読取手段により読み取られた画像データ以外の画像データの階調を前記第２の階調補正データに基づいて補正する階調補正手段と、
画像読取手段の階調特性を補正するための画像読取手段補正データを格納するための第２の格納手段と、
前記第１または第２の階調補正データの作成の際に前記第２の格納手段に格納された画像読取手段補正データを適用するか否かを選択する選択手段と、
所定のテスト画像データに基づいて形成したテスト画像を前記画像出力手段から出力させるテスト画像出力手段と、
画像読取手段により読み取られた前記テスト画像の画像データおよび前記選択手段の選択結果に基づいて、前記第１および第２の階調補正データを作成して前記第１の格納手段に格納する階調補正データ作成手段と、
を有するプリンタキャリブレーション装置。
【請求項１１】
前記階調補正手段は、階調補正を行なおうとする画像データから、当該画像データが読み取られる際に使用された画像読取手段を特定するための情報である属性データを抽出し、抽出された属性データに基づいて当該画像データが画像読取手段により読み取られた画像データであるか否かを判定する請求項８から１０のいずれか１項記載のプリンタキャリブレーション装置。
【請求項１２】
画像読取手段により読み取られた画像データの階調を補正する第１の階調補正データと画像読取手段により読み取られた画像データ以外の画像データの階調を補正する第２の階調補正データを格納するための第１の格納手段と、
複数の画像読取手段のうちのある画像読取手段により読み取られた画像データの階調を前記第１の格納手段に格納されている複数の第１の階調補正データのうちの対応する第１の階調補正データに基づいて補正し、複数の画像読取手段により読み取られた画像データ以外の画像データの階調を前記第２の階調補正データに基づいて補正する階調補正手段と、
複数の画像読取手段の階調特性をそれぞれ補正するための複数の画像読取手段補正データを格納するための第２の格納手段と、
所定のテスト画像データに基づいて形成したテスト画像を前記画像出力手段から出力させるテスト画像出力手段と、
複数の画像読取手段により読み取られた前記テスト画像の画像データに基づいて前記複数の第１の階調補正データをそれぞれ作成し、複数の画像読取手段のうちのある画像読取手段により読み取られた前記テスト画像の画像データに基づき前記第２の格納手段に格納された複数の画像読取手段補正データのうちの対応する画像読取手段補正データを適用して前記第２の階調補正データを作成して前記第１の格納手段に格納する階調補正データ作成手段と、
を有するプリンタキャリブレーション装置。
【請求項１３】
前記階調補正手段は、階調補正を行なおうとする画像データから、当該画像データが読み取られる際に使用された画像読取手段を特定するための情報である属性データを抽出し、抽出された属性データに基づいて当該画像データが読み取られた画像読取手段を複数の画像読取手段のうちから特定し、特定された画像読取手段に対応した第１の階調補正データを選択する請求項１２記載のプリンタキャリブレーション装置。
【請求項１４】
画像読取手段により読み取られた基準原稿画像に基づいて画像読取手段補正データを作成して前記第２の格納手段に格納する画像読取手段補正データ作成手段をさらに有する請求項８から１３のいずれか１項記載のプリンタキャリブレーション装置。
【発明の詳細な説明】
【技術分野】
【０００１】
本発明は、画像形成装置およびプリンタキャリブレーション装置に関する。
【背景技術】
【０００２】
従来、複写機やプリンタなど、ハードコピーを得る記録方式として、感熱記録方式、電子写真記録方式、インクジェット方式などが用いられているが、カラー化の進展によるユーザの要請を受けて、それぞれの方式において、それぞれの特質を生かした画質向上への取り組みが盛んに行なわれている。
【０００３】
特に電子写真記録方式においては、微小粒子であるトナーの静電現象を用いるため、環境変化や経時間変化による影響を強く受け、画像濃度が微妙に変動したり、使用される機械によって画像濃度に差異が生じたりする。そのため、カラー画像形成装置で、より安定した画像濃度を要求される機種においては、用紙上に形成されたテスト画像の濃度をスキャナ装置等の画像読み取り手段を用いて検知し、画像形成条件を調整して所定の濃度を得るキャリブレーションが広く導入されている。
【０００４】
このキャリブレーションは、基準チャートとして複数の入力画像信号による複数の基準パッチを用紙上に作成し、用紙上に作成された基準パッチ濃度を検知し、目標濃度と比較し、検知した基準パッチ濃度が目標濃度に一致するように入力画像信号を補正する階調補正データを作成することにより行なわれる。
【０００５】
特許文献１には、コピー画像とプリンタ画像とで、階調補正データによる補正適応有無を切り分ける技術が開示されている。特許文献２には、プリンタキャリブレーションに使用するスキャナ自体の個体差を補正するスキャナキャリブレーション技術が開示されている。特許文献３には、キャリブレーションを行なう前にトナー濃度制御を実行することにより、良好な色再現性を維持しながらキャリブレーションを行うようにした技術が開示されている。
【０００６】
【特許文献１】特開平１０−１４５５９７号公報
【特許文献２】特開２００１−０８０１８０号公報
【特許文献３】特開２００５−０９１７６７号公報
【発明の開示】
【発明が解決しようとする課題】
【０００７】
本発明は、上述した背景からなされたものであり、高精度なキャリブレーション（階調補正）を行なうことができる画像形成装置を提供することを目的とする。
【課題を解決するための手段】
【０００８】
［画像形成装置］
上記目的を達成するために、本発明の画像形成装置は、原稿を読み取って画像データに変換する画像読取手段と、
前記画像読取手段により読み取られた画像データの階調を補正する第１の階調補正データと前記画像読取手段により読み取られた画像データ以外の画像データの階調を補正する第２の階調補正データを格納するための第１の格納手段と、
前記画像読取手段により読み取られた画像データの階調を前記第１の格納手段に格納されている前記第１の階調補正データに基づいて補正し、前記画像読取手段により読み取られた画像データ以外の画像データの階調を前記第２の階調補正データに基づいて補正する階調補正手段と、
前記階調補正手段により階調補正が行なわれた後の画像データに基づいて形成した画像を出力する画像出力手段と、
前記画像読取手段の階調特性を補正するための画像読取手段補正データを格納するための第２の格納手段と、
所定のテスト画像データに基づいて形成したテスト画像を前記画像出力手段から出力させるテスト画像出力手段と、
前記画像読取手段により読み取られた前記テスト画像の画像データに基づいて前記第１の階調補正データを作成し、前記画像読取手段により読み取られた前記テスト画像の画像データに基づき前記第２の格納手段に格納された画像読取手段補正データを適用して前記第２の階調補正データを作成して前記第１の格納手段に格納する階調補正データ作成手段とを有する。
【０００９】
好ましくは、前記階調補正データ作成手段は、前記第１の階調補正データを作成する前記テスト画像と、前記第２の階調補正データを作成する前記テスト画像が共通で、前記画像読取手段により読み取られた共通のテスト画像の画像データに基づいて前記第１および第２の階調補正データを同一の処理により作成する。
【００１０】
また、本発明の画像形成装置は、原稿を読み取って画像データに変換する画像読取手段と、
前記画像読取手段により読み取られた画像データの階調を補正する第１の階調補正データと前記画像読取手段により読み取られた画像データ以外の画像データの階調を補正する第２の階調補正データを格納するための第１の格納手段と、
前記画像読取手段により読み取られた画像データの階調を前記第１の格納手段に格納されている前記第１の階調補正データに基づいて補正し、前記画像読取手段により読み取られた画像データ以外の画像データの階調を前記第２の階調補正データに基づいて補正する階調補正手段と、
前記階調補正手段により階調補正が行なわれた後の画像データに基づいて形成した画像を出力する画像出力手段と、
前記画像読取手段の階調特性を補正するための画像読取手段補正データを格納するための第２の格納手段と、
前記第１または第２の階調補正データの作成の際に前記第２の格納手段に格納された画像読取手段補正データを適用するか否かを選択する選択手段と、
所定のテスト画像データに基づいて形成したテスト画像を前記画像出力手段から出力させるテスト画像出力手段と、
前記画像読取手段により読み取られた前記テスト画像の画像データおよび前記選択手段の選択結果に基づいて、前記第１および第２の階調補正データを作成して前記第１の格納手段に格納する階調補正データ作成手段とを有する。
【００１１】
好ましくは、前記画像読取手段は、読み取った画像データに対して当該画像読取手段を特定する情報を属性データとして付加し、
前記階調補正手段は、階調補正を行なおうとする画像データから属性データを抽出し、抽出された属性データに基づいて当該画像データが前記画像読取手段により読み取られた画像データであるか否かを判定する。
【００１２】
また、本発明の画像形成装置は、原稿を読み取って画像データに変換する複数の画像読取手段と、
前記画像読取手段により読み取られた画像データの階調を補正する第１の階調補正データと前記画像読取手段により読み取られた画像データ以外の画像データの階調を補正する第２の階調補正データを格納するための第１の格納手段と、
前記複数の画像読取手段のうちのある画像読取手段により読み取られた画像データの階調を前記第１の格納手段に格納されている複数の第１の階調補正データのうちの対応する第１の階調補正データに基づいて補正し、前記複数の画像読取手段により読み取られた画像データ以外の画像データの階調を前記第２の階調補正データに基づいて補正する階調補正手段と、
前記階調補正手段により階調補正が行なわれた後の画像データに基づいて形成した画像を出力する画像出力手段と、
前記複数の画像読取手段の階調特性をそれぞれ補正するための複数の画像読取手段補正データを格納するための第２の格納手段と、
所定のテスト画像データに基づいて形成したテスト画像を前記画像出力手段から出力させるテスト画像出力手段と、
前記複数の画像読取手段により読み取られた前記テスト画像の画像データに基づいて前記複数の第１の階調補正データをそれぞれ作成し、前記複数の画像読取手段のうちのある画像読取手段により読み取られた前記テスト画像の画像データに基づき前記第２の格納手段に格納された複数の画像読取手段補正データのうちの対応する画像読取手段補正データを適用して前記第２の階調補正データを作成して前記第１の格納手段に格納する階調補正データ作成手段とを有する。
【００１３】
好ましくは、前記複数の画像読取手段は、読み取った画像データに対して当該画像読取手段を特定する情報を属性データとして付加し、
前記階調補正手段は、階調補正を行なおうとする画像データから属性データを抽出し、抽出された属性データに基づいて当該画像データが読み取られた画像読取手段を前記複数の画像読取手段のうちから特定し、特定された画像読取手段に対応した第１の階調補正データを選択する。
【００１４】
好ましくは、前記画像読取手段により読み取られた基準原稿画像に基づいて画像読取手段補正データを作成して前記第２の格納手段に格納する画像読取手段補正データ作成手段をさらに有する。
【００１５】
[プリンタキャリブレーション装置]
本発明のプリンタキャリブレーション装置は、画像読取手段により読み取られた画像データの階調を補正する第１の階調補正データと前記画像読取手段により読み取られた画像データ以外の画像データの階調を補正する第２の階調補正データを格納するための第１の格納手段と、
画像読取手段により読み取られた画像データの階調を前記第１の格納手段に格納されている前記第１の階調補正データに基づいて補正し、画像読取手段により読み取られた画像データ以外の画像データの階調を前記第２の階調補正データに基づいて補正する階調補正手段と、
画像読取手段の階調特性を補正するための画像読取手段補正データを格納するための第２の格納手段と、
所定のテスト画像データに基づいて形成したテスト画像を前記画像出力手段から出力させるテスト画像出力手段と、
画像読取手段により読み取られた前記テスト画像の画像データに基づいて前記第１の階調補正データを作成し、画像読取手段により読み取られた前記テスト画像の画像データに基づき前記第２の格納手段に格納された画像読取手段補正データを適用して前記第２の階調補正データを作成して前記第１の格納手段に格納する階調補正データ作成手段とを有する。
【００１６】
好ましくは、前記階調補正データ作成手段は、前記第１の階調補正データを作成する前記テスト画像と、前記第２の階調補正データを作成する前記テスト画像が共通で、前記画像読取手段により読み取られた共通のテスト画像の画像データに基づいて前記第１および第２の階調補正データを同一の処理により作成する。
【００１７】
また、本発明のプリンタキャリブレーション装置は、画像読取手段により読み取られた画像データの階調を補正する第１の階調補正データと画像読取手段により読み取られた画像データ以外の画像データの階調を補正する第２の階調補正データを格納するための第１の格納手段と、
画像読取手段により読み取られた画像データの階調を前記第１の格納手段に格納されている前記第１の階調補正データに基づいて補正し、画像読取手段により読み取られた画像データ以外の画像データの階調を前記第２の階調補正データに基づいて補正する階調補正手段と、
画像読取手段の階調特性を補正するための画像読取手段補正データを格納するための第２の格納手段と、
前記第１または第２の階調補正データの作成の際に前記第２の格納手段に格納された画像読取手段補正データを適用するか否かを選択する選択手段と、
所定のテスト画像データに基づいて形成したテスト画像を前記画像出力手段から出力させるテスト画像出力手段と、
画像読取手段により読み取られた前記テスト画像の画像データおよび前記選択手段の選択結果に基づいて、前記第１および第２の階調補正データを作成して前記第１の格納手段に格納する階調補正データ作成手段とを有する。
【００１８】
好ましくは、前記階調補正手段は、階調補正を行なおうとする画像データから、当該画像データが読み取られる際に使用された画像読取手段を特定するための情報である属性データを抽出し、抽出された属性データに基づいて当該画像データが画像読取手段により読み取られた画像データであるか否かを判定する。
【００１９】
また、本発明のプリンタキャリブレーション装置は、画像読取手段により読み取られた画像データの階調を補正する第１の階調補正データと画像読取手段により読み取られた画像データ以外の画像データの階調を補正する第２の階調補正データを格納するための第１の格納手段と、
複数の画像読取手段のうちのある画像読取手段により読み取られた画像データの階調を前記第１の格納手段に格納されている複数の第１の階調補正データのうちの対応する第１の階調補正データに基づいて補正し、複数の画像読取手段により読み取られた画像データ以外の画像データの階調を前記第２の階調補正データに基づいて補正する階調補正手段と、
複数の画像読取手段の階調特性をそれぞれ補正するための複数の画像読取手段補正データを格納するための第２の格納手段と、
所定のテスト画像データに基づいて形成したテスト画像を前記画像出力手段から出力させるテスト画像出力手段と、
複数の画像読取手段により読み取られた前記テスト画像の画像データに基づいて前記複数の第１の階調補正データをそれぞれ作成し、複数の画像読取手段のうちのある画像読取手段により読み取られた前記テスト画像の画像データに基づき前記第２の格納手段に格納された複数の画像読取手段補正データのうちの対応する画像読取手段補正データを適用して前記第２の階調補正データを作成して前記第１の格納手段に格納する階調補正データ作成手段とを有する。
【００２０】
好ましくは、前記階調補正手段は、階調補正を行なおうとする画像データから、当該画像データが読み取られる際に使用された画像読取手段を特定するための情報である属性データを抽出し、抽出された属性データに基づいて当該画像データが読み取られた画像読取手段を複数の画像読取手段のうちから特定し、特定された画像読取手段に対応した第１の階調補正データを選択する。
【００２１】
好ましくは、画像読取手段により読み取られた基準原稿画像に基づいて画像読取手段補正データを作成して前記第２の格納手段に格納する画像読取手段補正データ作成手段をさらに有する。
【発明の効果】
【００２２】
以上説明したように、本発明によれば、下記のような効果を得ることができる。
【００２３】
請求項１記載の発明によれば、プリンタキャリブレーションの際にスキャナキャリブレーション機能により画像出力手段の階調特性を目標階調特性に一致させた場合でも、複写システムとしての再現性である複写原稿濃度と複写濃度の関係を狙い通りにさせることが可能になるという効果を得ることができる。
【００２４】
請求項２記載の発明によれば、前記第１の階調補正データを作成する前記テスト画像と、前記第２の階調補正データを作成する前記テスト画像を共通に使用して、前記画像読取手段により読み取られた共通のテスト画像の画像データに基づいて前記第１および第２の階調補正データを同時に作成するようにしているので、階調補正データを作成する処理を軽減することが可能となる。
【００２５】
請求項３記載の発明によれば、階調補正データを作成する際に、画像読取手段補正データを適用するか否かを選択することができるので、テスト画像を読み取る画像読取手段と複写原稿を読み取る画像読取手段が異なるようなシステム構成の場合にも適切に対応することができる。
【００２６】
請求項４記載の発明によれば、画像データには読み取られる際に使用された画像読取手段を特定する属性データを付加するようにしているので、読み取った画像データを格納した後に出力するような場合でも、階調補正手段は、階調補正を行なおうとする画像データが画像読取手段により読み取られた画像データであるかそれ以外の画像データあるかを判定して、第１および第２の階調補正データのうちから階調補正を行なう際に使用する階調補正データを適切に選択することができる
【００２７】
請求項５記載の発明によれば、各画像読取手段毎に複写画像用の階調補正データを作成することにより、複数の画像読取手段が存在する場合にも対応することができる。
【００２８】
請求項６記載の発明によれば、画像データには読み取られる際に使用された画像読取手段を特定する属性データを付加するようにしているので、読み取った画像データを格納した後に出力するような場合でも、複数の階調補正データから対応する階調補正データを適切に選択することができる。
【発明を実施するための最良の形態】
【００２９】
[背景]
まず、本発明の理解を助けるために、その背景及び概略を説明する。
【００３０】
上述したように複写機やプリンタ等の画像形成装置では、温度や湿度等の環境変化や経時変化による画像濃度の変動を修正するためにキャリブレーション処理が行なわれている。このようなキャリブレーションを行う画像形成装置の一例を図１に示す。
【００３１】
この画像形成装置は、図１に示されるように、スキャナ部３００と、画像処理部３１０と、通信インタフェース（ＩＦ）３２０と、プリンタ部３３０とを有している。また、画像処理部３１０は、階調補正データ作成部３１６と、階調補正データ格納部３１２と、階調補正処理部３１３と、テスト画像データ格納部３１７とから構成されている。
【００３２】
スキャナ部３００は、セットされた原稿を読み取って画像データに変換する画像読取手段として機能する。
【００３３】
階調補正データ作成部３１６は、スキャナ部３００により読み取られたテスト画像の画像データに基づいて階調補正データを作成して階調補正データ格納部３１２に格納する。
【００３４】
階調補正データ格納部３１２は、プリンタ部３３０によって印刷する画像データの階調を補正するための階調補正データを格納する。
【００３５】
階調補正処理部３１３は、スキャナ部３００により読み取られた画像データおよび通信ＩＦ３２０を介して外部装置から印刷が指示された画像データの階調を階調補正データ格納手段３１２に格納されている階調補正データに基づいて補正してプリンタ部３３０に出力する。
【００３６】
テスト画像データ格納部３１７は、それぞれ濃度が異なる複数の基準パッチからなるテスト画像データを格納している。
【００３７】
通信ＩＦ３２０は、コンピュータ、サーバ等の外部装置から印刷の指示がされた画像データを受け取ってプリント用の画像データとして階調補正処理部３１３に出力する。
【００３８】
プリンタ部３３０は、階調補正処理部３１３により階調補正が行なわれた後の画像データに基づいて形成した画像を印刷する。
【００３９】
次に、このような画像形成装置により行なわれるキャリブレーション動作を図２のフローチャートを参照して説明する。
【００４０】
先ず、キャリブレーション処理の開始が指示されると、テスト画像データ格納部３１７は、それぞれ濃度が異なる複数の基準パッチからなるテスト画像データをプリンタ部３３０に出力して印刷用紙等の記録紙上に形成する（Ｓ４０１）。このテスト画像の一例を図３に示す。この図３に示された例では、入力画像信号レベルが、それぞれ５％〜１００％の基準パッチによりテスト画像が構成されている。
【００４１】
そして、ユーザがこのテスト画像が形成された記録紙を画像形成装置のスキャナ部３００にセットして画像読み取り開始の指示を行うと、スキャナ部３００は、このテスト画像の読み取りを行なう（Ｓ４０２）。すると、階調補正データ作成部３１６は、読み取ったテスト画像の画像データから各基準パッチの濃度を検出する（Ｓ４０３）。そして、階調補正データ作成部３１６は、検出された各基準パッチの濃度と目標濃度との比較を行い、この比較結果に基づいて階調補正データを作成する（Ｓ４０４）。
【００４２】
このようにして作成された階調補正データの一例を図４に示す。この図４では、縦軸の左の目盛りが濃度を示し、右の目盛りが出力画像信号レベルを示している。
【００４３】
この図４に示す例では、テスト画像を読み取った測定画像濃度が、設定されている目標画像濃度よりも濃くなってしまっている。そのため、階調補正データ作成部３１６では、濃度を薄くするような階調補正データが作成される、階調補正処理部３１３では、この階調補正データに基づいた階調補正が行なわれる。この図４を参照すると、階調補正データに基づいて測定画像濃度の階調補正が行なわれた場合、補正後の画像濃度が目標画像濃度に近づいていることがわかる。
【００４４】
しかし、このようなキャリブレーションを行なう画像形成装置では、テスト画像を読み取るためのスキャナ部３００の読み取り精度に誤差が含まれていないとの前提で階調補正データの作成が行なわれている。そのため、スキャナ部３００によってテスト画像の各基準パッチを読み取る際に誤差が含まれていると、キャリブレーションが正しく行なわれなくなってしまう。
【００４５】
このような問題が発生する理由を図５を参照して説明する。ここでは、スキャナ部３００の階調特性には目標スキャナ装置に対してβ倍という階調特性の誤差が含まれ、プリンタ部３３０の階調特性にはα倍という目標階調特性に対する誤差が含まれるものとする。なお、階調特性の誤差は単純には倍率で示されるものではないが、ここでは説明を簡単にするために倍率で示すものとする。
【００４６】
また、図５に示した画像形成装置における動作を図６を参照して順次説明する。
【００４７】
（１）先ず、プリンタキャリブレーションが開始されると、テスト画像データ格納部３１７は、プリンタ部３３０に対してテスト画像の印刷を指示する。すると、プリンタ部３３０はテスト画像を印刷するが、このテスト画像の階調特性にはα倍の誤差が含まれることになる。
【００４８】
（２）このテスト画像がスキャナ部３００により読み取られると、読み取られた画像データにはプリンタ部３３０の階調特性誤差αとスキャナ部３００の誤差βの両方が含まれることになり、αβという誤差が発生してしまう。
【００４９】
（３）そのため、階調補正データ作成部３１６は、誤差がαβというテスト画像データに基づいて階調補正データを作成するため、階調補正データの特性は１／αβとなる。
【００５０】
（４）そのため、通信ＩＦ３２０を介してプリント用の画像データが階調補正処理部３１３に出力された場合、階調補正処理部３１３は、階調補正データ格納部３１２に格納されている階調補正データ（１／αβ）により階調補正を行なってプリンタ部３３０に出力する。この結果、プリンタ部３３０における階調特性誤差αは打ち消されるものの、スキャナ部３００の階調特性誤差βの影響はそのまま残りプリント画像の階調特性は１／βとなってしまう。
【００５１】
このような問題を解決するため、プリント部３３０のキャリブレーションを行なう前に、テスト画像を読み取るスキャナ部３００の測定感度を校正するためのキャリブレーションを行なうようにした画像形成装置の構成を図７に示す。
【００５２】
以下の説明においては、プリント部３３０に対するキャリブレーションをプリンタキャリブレーションと呼び、スキャナ部３００に対するキャリブレーションをスキャナキャリブレーションと呼ぶものとする。
【００５３】
この画像形成装置は、図７に示されるように、スキャナ部３００と、画像処理部３４０と、通信インタフェース（ＩＦ）３２０と、プリンタ部３３０とを有している。図７において、図１中の構成要素と同一の構成要素には同一の符号を付し、説明を省略するものとする。
【００５４】
ここで、画像処理部３４０は、図１に示した画像形成装置における画像処理部３１０に対して、スキャナ補正データ作成部３１４と、スキャナ補正データ格納部３１５とが追加され、階調補正データ作成部３１６が階調補正データ作成部３１１に置き換えられた構成となっている。
【００５５】
スキャナ補正データ格納部３１５は、スキャナ部３００の階調特性を補正するためのスキャナ補正データを格納するための機能を有する。
【００５６】
スキャナ補正データ作成部３１４は、オフセット印刷等により作成された基準原稿画像の画像データに基づいて、スキャナ補正データを作成してスキャナ補正データ格納部３１５に格納する。
【００５７】
基準原稿画像は、図３に示したようなプリンタキャリブレーション用のテスト画像と同じ画像をオフセット印刷により作成したものであり、図３に示すように画像密度が異なる複数の基準パッチから構成されている。なお、図３では、説明の簡略化のために１色のみが示されているが、実際にはイエロー（Yellow）、マゼンタ（Magenta）、シアン（Cyan）、ブラック（Black）の各色毎に画像密度が異なる複数の基準パッチが構成されている。
【００５８】
そして、階調補正データ作成部３１１は、図１に示した階調補正データ作成部３１６の機能に加えて、スキャナ部３００により読み取られたテスト画像の画像データをスキャナ補正データ格納部３１５に格納されたスキャナ補正データにより補正する機能を備えている。
【００５９】
なお、ここではスキャナキャリブレーションとして、読み取られたテスト画像の画像データに対してスキャナ補正データを用いた補正を行なうものとして説明しているが、階調目標値に対してスキャナ補正データを適用しても良いし、作成された階調補正データに対してスキャナ補正データを適用しても良い。
【００６０】
次に、このスキャナキャリブレーションの処理の流れを図８のフローチャートを参照して説明する。
【００６１】
先ず、スキャナ部３００は、オフセット印刷により作成されたスキャナキャリブレーション用の基準原稿を読み取る（Ｓ２０１）。すると、スキャナ補正データ作成部３１４は、読み取られた基準原稿画像の画像データの濃度を演算し（Ｓ２０２）、その演算結果に基づいてスキャナ補正データを作成してスキャナ補正データ格納部３１５に格納する（Ｓ２０３）。
【００６２】
次に、基準原稿画像を測定した測定結果の一例を図９に示し、この測定結果に基づいて作成されたスキャナ補正データの一例を図１０に示す。ここでは、スキャナＡ、スキャナＢという２つのスキャナの補正を行なう場合を用いて説明する。
【００６３】
図９に示すように、標準測定感度を有する標準スキャナ装置で測定した目標値に対して、スキャナＡは基準原稿を測定値が大きい側（濃い側）に測定し、スキャナＢは基準原稿を測定値が小さい側（薄い側）に測定している。
【００６４】
そのため、図１０に示すように、スキャナＡ用のスキャナ補正データは入力された画像データの濃度を小さく（薄く）するように設定され、スキャナＢ用のスキャナ補正データは入力された画像データの濃度を大きく（濃く）するように設定される。つまり、テスト画像の階調を濃く測定するスキャナＡのスキャナ補正データは入力された値を小さく補正し、逆にテスト画像の階調を薄く測定するスキャナＢのスキャナ補正データは入力された値を大きく補正することで、各スキャナ装置の測定結果を標準スキャナ装置の特性と一致させるような処理が行なわれる。
【００６５】
このようなスキャナキャリブレーションが行われる画像形成装置によれば、スキャナ部３００により読み取られたテスト画像の画像データは、スキャナ補正データによって階調補正が行なわれるので、スキャナ部３００の測定感度の誤差を排除してプリンタキャリブレーションを行なうことが可能となる。
【００６６】
そして、このようなスキャナキャリブレーションが行なわれることにより、画像形成装置に備え付けられたスキャナ装置だけでなく外部のスキャナ装置でテスト画像を読み取る場合でも、各スキャナ装置の測定感度差が補正されるので、どのようなスキャナ装置を使用した場合でも精度の高い階調補正データを得ることが可能となる。
【００６７】
しかし、従来行なわれているスキャナキャリブレーションとは、プリンタキャリブレーションを行なうためのテスト画像を測定する際の測定感度を校正するだけのものであり、複写のための通常の画像を読み取る際の測定感度を校正することはできない。この理由を以下に説明する。
【００６８】
スキャナキャリブレーション／プリンタキャリブレーションでは、ＣＭＹＫの各単色のみを対象としているためＣＭＹＫの各色が重なった２、３次色の精度を考慮していない。そのため、スキャナ補正データや階調補正データは、各色毎の階調を補正するための１次元曲線となっている。しかし、複写のためのスキャナ部３００により読み取られる画像には当然ながら２次、３次色が含まれている。そして、スキャナ部３００により読み取られたＲＧＢ画像データは、多次元行列計算によりＬ*ａ*ｂ*画像データに変換され、各種画像処理が行なわれてからさらに多次元行列計算によりプリンタ部３３０のトナーＣＭＹＫの各色に対応したデータに変換される。そのため、単純にスキャナ部３００によって得られたＲＧＢ画像データを１次元のスキャナ補正データで補正しても後段の２回の多次元行列計算には対応することができない。このような理由により、スキャナキャリブレーションは、プリンタキャリブレーションを行なうためのテスト画像を測定する際の測定感度を補正することのみを目的としている。
【００６９】
つまり、スキャナキャリブレーションが行なわれたスキャナ装置で通常の画像を読み取った場合には、読み取り感度差の校正は行なわれない。
【００７０】
このようなプリンタキャリブレーションを行なってプリンタ部の階調特性を目標階調特性と一致させる画像形成装置には、コンピュータやサーバ等の外部装置からの画像データを印刷する印刷機能だけでなく、備え付けられたスキャナ装置または外部に接続されたスキャナ装置で原稿をスキャンしてプリンタ部で印刷する複写（コピー）機能を備えたものがある。
【００７１】
このような画像形成装置では、プリンタキャリブレーションを行なうためのテスト画像の読み取りを行なうスキャナ装置と、複写を行なおうとする原稿を読み取るスキャナ装置とが共用されることが考えられる。このような場合、スキャナキャリブレーション機能が逆効果に働いて、コピー再現特性が悪化してしまうという問題が発生する。ここで、コピー再現特性とは、コピー原稿濃度とコピー濃度（コピーした原稿の濃度）とがどれだけ一致しているかという特性を示し、ここではコピー原稿濃度とコピー濃度とは一致していることを理想とする。
【００７２】
スキャナキャリブレーション機能は前述のように、本来より濃く測定するスキャナに対しては、プリンタキャリブレーションで測定した値を薄くするスキャナ補正データ作成し、本来より薄く測定するスキャナに対しては、プリンタキャリブレーションで測定した値を濃くするスキャナ補正データを作成することでプリンタ装置の階調特性を目標階調特性に一致させることを目的としている。しかし、プリンタキャリブレーションに使用するスキャナ装置と同じスキャナ装置をコピーのスキャナとして使用した場合に、スキャナキャリブレーション機能によってプリンタ装置の階調特性を目標階調特性に一致させてしまうと、コピー画像の濃度階調特性にとってはスキャナキャリブレーション機能が逆効果に働き、かえってコピー画像の濃度階調特性をばらつかせてしまう。
【００７３】
このような問題が発生する理由を図１１を参照して説明する。ここでも図５と同様に、スキャナ部３００の階調特性には目標スキャナ装置に対してβ倍という階調特性の誤差が含まれ、プリンタ部３３０の階調特性にはα倍という目標階調特性に対する誤差が含まれるものとする。
【００７４】
また、図１１に示した画像形成装置における動作を図１２を参照して順次説明する。
【００７５】
（１）まず、スキャナキャリブレーションが行なわれることにより、階調特性誤差が含まれない基準原稿画像がスキャナ部３００により読み取られる。ここでは、スキャナ部３００にはβ倍という階調特性誤差が含まれているため、読み取られた基準原稿画像データにもβという誤差が含まれることになる。
【００７６】
（２）次に、スキャナ補正データ作成部３１４は、スキャナ部３００の測定感度を修正するためのスキャナ補正データを作成してスキャナ補正データ格納部３１５に格納する。ここでは、スキャナ部３００はβ倍という測定感度の誤差を有するため、スキャナ補正データは１／βという特性を有するデータとなる。
【００７７】
（３）次に、プリンタキャリブレーションが開始されると、テスト画像データ格納部３１７は、プリンタ部３３０に対してテスト画像の印刷を指示する。すると、プリンタ部３３０はテスト画像を印刷するが、このテスト画像の階調特性にはα倍の誤差が含まれることになる。
【００７８】
（４）このテスト画像がスキャナ部３００により読み取られると、読み取られた画像データにはプリンタ部３３０の階調特性誤差αとスキャナ部３００の誤差βの両方が含まれることになり、αβという誤差が発生してしまう。しかし、階調補正データ作成部３１１は、スキャナ補正データ格納部３１５に格納されているスキャナ補正データ（１／β）に基づいて、テスト画像の画像データの階調補正を行なうため、テスト画像データ中のαβという誤差はαのみとなる。
【００７９】
（５）そして、階調補正データ作成部３１１は、この誤差がαのみのテスト画像データに基づいて階調補正データを作成するため、階調補正データの特性は１／αとなる。
【００８０】
このような画像形成装置においてあるコピー原稿をコピーした場合およびプリント原稿をプリントした場合の動作を図１３および図１４を参照して説明する。
【００８１】
（６）先ず、通信ＩＦ３２０を介してプリント用の画像データが階調補正処理部３１３に出力された場合、階調補正処理部３１３は、階調補正データ格納部３１２に格納されている階調補正データ（１／α）により階調補正を行なってプリンタ部３３０に出力する。そのため、プリンタ部３３０における階調特性誤差αは打ち消され、印刷された原稿の階調特性は目標階調特性に近いものとなる。
【００８２】
（７）次に、スキャナ部３００によりコピー原稿を読み取ってコピー処理が行なわれた場合、スキャナ部３００には、βという階調特性誤差があるため、読み取られたコピー用画像データにはβという階調特性誤差が含まれる。そして、このコピー用画像データ（β）が階調補正処理部３１３により階調補正データ（１／α）に基づいて階調補正処理が行なわれると、階調補正後の画像データにはβ／αという階調特性誤差が含まれることになる。そして、プリンタ部３３０により印刷処理が行なわれると、最終的なコピー出力画像にはβという階調特性誤差が残ってしまうことになる。
【００８３】
このように、プリンタキャリブレーションを行なう際、スキャナーキャリブレーションを行なうことにより、プリンタ部の階調特性を目標階調特性に一致させる効果がある。そのため、スキャナとは関係のないプリント画像や、プリンタキャリブレーションの際に使用されるスキャナ装置とは別のスキャナ装置で測定された読み取られた画像を印刷する際には効果がある。しかし、プリンタキャリブレーションに使用するスキャナ装置と同じスキャナ装置を使ったコピー機では、プリンタキャリブレーションの際にスキャナキャリブレーション機能によりプリンタ装置の階調特性を目標階調特性に一致させると、コピーシステムとしての再現性であるコピー原稿濃度とコピー濃度の関係が一致しなくなるという課題がある。
【００８４】
[実施形態]
次に、本発明の実施の形態について図面を参照して詳細に説明する。
【００８５】
（第１の実施形態）
図１５は本発明の第１の実施形態の画像形成装置８０を含む画像処理システムの構成を示す図である。
【００８６】
図１５に示すように、画像処理システムは、ネットワーク７０を介して接続された画像形成装置８０および端末装置６０を含む。端末装置６０は、印刷ジョブ等の印刷データを生成して、画像形成装置８０に対して送信する。画像形成装置８０は、端末装置６０から送信された印刷データを受け付けて、印刷データに応じた画像を印刷用紙上に出力する。
【００８７】
次に、本発明を適用する画像形成装置８０の構成を図１６に示す。
図１６に示すように、本実施形態の画像形成装置８０は、画像読取部５０と画像形成部４０とを備えている。
【００８８】
画像読取部５０は、原稿を載せるプラテン５１と、プラテンカバー５２と、プラテン上の原稿に光を照射するランプ５３と、受光した光量分布を画像信号に変換するセンサ５４と、ランプから原稿に照射された光が、原稿面上の画像で反射した反射光をＣＣＤセンサに集光する光学系５５とを備えている。
【００８９】
画像形成部４０は、イエロー（Ｙ）色、マゼンタ（Ｍ）色、シアン（Ｃ）色、およびブラック（Ｋ）色それぞれのトナー像が形成される４つの画像形成ユニット１０Ｙ、１０Ｍ、１０Ｃ、１０Ｋと、４つの画像形成ユニット１０Ｙ、１０Ｍ、１０Ｃ、１０Ｋに接触するとともに循環移動し、トナー像が１次転写される中間転写ベルト２０と、４つの画像形成ユニット１０Ｙ、１０Ｍ、１０Ｃ、１０Ｋそれぞれに形成された各色のトナー像を中間転写ベルト２０に１次転写する１次転写ロール５Ｙ、５Ｍ、５Ｃ、５Ｋと、中間転写ベルト２０上に１次転写されたトナー像を用紙Ｐに２次転写する２次転写ロール１５と、サイズが異なる用紙Ｐを収納する３つの用紙トレイ１２ａ、１２ｂ、１２ｃと、用紙Ｐを手差しする手差部１３と、用紙トレイ１２ａ、１２ｂ、１２ｃから抜き出した用紙Ｐあるいは手差部１３にセットされた用紙Ｐを２次転写ロール１５の配置位置に搬送する搬送ロール１４と、用紙Ｐに転写されたトナー像を加熱および加圧することにより用紙Ｐ上に定着させる定着器１６と、２次転写ロール１５の配置位置から定着器１６を経由して用紙Ｐを排出する搬送ロール１８と、片面にトナー像を定着させた用紙Ｐを反転させて再び２次転写ロール１５の配置位置に搬送する搬送ロール１７と、トナー像を定着させた用紙Ｐを排出する第１のトレイ３１および第２のトレイ３２とを備えている。
【００９０】
画像形成ユニット１０Ｙ、１０Ｍ、１０Ｃ、１０Ｋは、それぞれ、トナー像が形成される感光体ドラム１Ｙ、１Ｍ、１Ｃ、１Ｋと、感光体ドラム１Ｙ、１Ｍ、１Ｃ、１Ｋを帯電する帯電器２Ｙ、２Ｍ、２Ｃ、２Ｋと、帯電した感光体ドラム１Ｙ、１Ｍ、１Ｃ、１Ｋに、画像信号に基づいて変調された露光光を照射して静電潜像を形成する露光部３と、静電潜像にＹＭＣＫ各色のトナーを付与して各色のトナー像を形成する、トナーとキャリヤとが混合された現像剤を攪拌することにより帯電したＹＭＣＫ各色のトナーを付与して静電潜像を現像する現像機４Ｙ、４Ｍ、４Ｃ、４Ｋと、中間転写ベルト２０にトナー像を１次転写した後に感光体ドラム１Ｙ、１Ｍ、１Ｃ、１Ｋ上に残留するトナーをクリーニングするクリーニング装置６Ｙ、６Ｍ、６Ｃ、６Ｋとを備えている。なお、ＹＭＣＫ各色のトナーを収納するトナーボックス３９があり、各色のトナーは、所定のタイミングで現像機４Ｙ、４Ｍ、４Ｃ、４Ｋに供給される。
【００９１】
また、中間転写ベルト２０は、ベルトを駆動する駆動ロール２１と、従動ロール２２と、ベルトに張力を加えるテンションロール２３とに張架されて循環移動し、Ｙ色トナー像が形成されるユニット１０Ｙの上流側にベルトクリーニング装置２６を備えている。
【００９２】
画像読取部５０で読み取られた画像信号は、図示しない画像処理部でＹＭＣＫ色毎の画像信号に変換される。
【００９３】
本実施形態の画像形成装置は、各種の画像形成モードを選択するユーザインタフェース１１を備えており、ユーザインタフェース１１で画像形成モードが選択されると、画像形成モードが自動設定されるとともに、階調補正処理部３５において、画像読取部５０で読み取って変換した画像信号を選択された画像形成モードに応じた階調補正データを用いて階調補正処理を施す。
【００９４】
そして、露光部３から階調補正処理を施された画像信号に基づいて変調された露光光が、４つのユニット１０Ｙ、１０Ｍ、１０Ｃ、１０Ｋそれぞれに備える感光体ドラム１Ｙ、１Ｍ、１Ｃ、１Ｋに照射されると、各感光体ドラムに静電潜像が形成され、静電潜像は各現像機４Ｙ、４Ｍ、４Ｃ、４Ｋで現像されて各色のトナー像が形成される。各色のトナー像は、各１次転写ロール５Ｙ、５Ｍ、５Ｃ、５Ｋにより中間転写ベルト２０に重ね合わされて転写され、中間転写ベルト２０上のトナー像は、２次転写ロール１５により手差部１３又は用紙トレイ１２から搬送ロール１４により搬送された用紙Ｐに転写され、さらに定着器１６により加熱および加圧されて用紙Ｐ上に定着され、搬送ロール１８で搬送され、第１のトレイ３１又は第２のトレイ３２に排出される。
【００９５】
なお、ユーザインタフェース１１で両面プリントモードが選択された場合には、搬送ロール１８で搬送された、片面に画像が形成された用紙Ｐは、第１のトレイ３１又は第２のトレイ３２に排出されることなく、用紙Ｐの後端が先端となるスイッチバックが行われ、搬送ロール１７により再び２次転写ロール１５の配置位置に搬送される。２次転写ロール１５で、用紙Ｐの別な面に転写されたトナー像は、定着器１６により加熱および加圧されて用紙Ｐ上に定着され、搬送ロール１８で搬送されて、第１のトレイ３１又は第２のトレイ３２に排出される。
【００９６】
本実施形態の画像形成部４０は、感光体ドラム１Ｙ、１Ｍ、１Ｃ、１Ｋ上に、ユーザインタフェース１１で選択された画像形成モードに応じた画像形成モードで階調補正データ補正用の複数濃度の基準パッチ画像を形成し、その複数濃度の基準パッチを用紙上に転写および定着させたテスト画像を形成するテスト画像形成部およびテスト画像形成部により形成されたテスト画像を、画像読取部５０で読み取って得た基準パッチ濃度に基づいて、選択された画像形成モードに応じた階調補正データを作成して階調補正処理を行なう画像処理部３５を備え上述したようなプリンタキャリブレーションを実行する。
【００９７】
ここで、本実施形態の画像形成装置は画像読取部５０を備えキャリブレーションに使用しているが、外部の読取部でキャリブレーションの測定を行うこともできる。
【００９８】
また本実施形態の画像形成装置について、中間転写ベルト２０を用いるタンデム構成の画像形成装置に基いて説明したが、画像形成装置は、タンデム構成に限定する必要はなく、複数サイクル構成のものであってもよく、また中間転写ベルト２０に限定する必要はなく、中間転写体であってもよい。さらに、中間転写方式に限定されず、用紙搬送ベルトに担持された記録媒体、あるいはロールで搬送される記録媒体に直接転写する方式のものであっても適用される。
【００９９】
次に、本実施形態の画像形成装置８０のハードウェア構成を図１７に示す。
【０１００】
画像形成装置８０は、図１７に示されるように、ＣＰＵ６８、メモリ６９、ハードディスクドライブ（ＨＤＤ）等の記憶装置７２、ネットワーク５０を介して外部のコンピュータなどとデータの送信及び受信を行う通信インタフェース（ＩＦ）７４、タッチパネル又は液晶ディスプレイ並びにキーボードを含むユーザインタフェース（ＵＩ）装置７６、スキャナ７７と、プリンタ部７８を有する。これらの構成要素は、制御バス６６を介して互いに接続されている。
【０１０１】
ＣＰＵ６８は、メモリ７０または記憶装置７２に格納された画像処理プログラムに基づいて所定の処理を実行して、画像形成装置８０の動作を制御する。
【０１０２】
図１８は、上記の画像処理プログラムが実行されることにより実現される画像形成装置８０の機能構成を示すブロック図である。
【０１０３】
本実施形態の画像形成装置８０は、図１８に示されるように、スキャナ部７７と、画像処理部３５と、通信インタフェース（ＩＦ）７４と、プリンタ部７８とを有している。また、画像処理部３５は、スキャナ補正データ作成部９１と、スキャナ補正データ格納部９２と、階調補正データ作成部９３と、階調補正データ格納部９４と、階調補正処理部９５と、テスト画像データ格納部９６とから構成されている。
【０１０４】
スキャナ部７７は、セットされた原稿を読み取って画像データに変換する画像読取手段として機能する。
【０１０５】
通信インタフェース（ＩＦ）７４は、端末装置６０から印刷を指示された画像データをプリント用画像データとして階調補正処理部９５に出力する。
【０１０６】
スキャナ補正データ格納部９２は、スキャナ部７７の階調特性を補正するためのスキャナ補正データを格納するための機能を有する。
【０１０７】
スキャナ補正データ作成部９１は、オフセット印刷等により作成された基準原稿画像の画像データに基づいて、スキャナ補正データを作成してスキャナ補正データ格納部９２に格納する。
【０１０８】
階調補正データ作成部９３は、スキャナ部７７により読み取られたテスト画像の画像データに基づいてコピー（複写）画像用の階調補正データを作成し、スキャナ部７７により読み取られたテスト画像の画像データに基づきスキャナ補正データ格納部９２に格納されたスキャナ補正データを適用してプリント画像用の階調補正データを作成して階調補正データ格納部９４に格納する。
【０１０９】
階調補正データ格納部９４は、階調補正データ作成部９３により作成されたコピー画像用およびプリント画像用の階調補正データを格納する。
【０１１０】
ここで、コピー画像用の階調補正データとは、スキャナ部７７により読み取られた画像データの階調を補正するための階調補正データであり、プリント画像用の階調補正データとは、プリント用画像データ等のスキャナ部７７により読み取られた画像データ以外の画像データの階調を補正するための階調補正データである。ここで、スキャナ部７７により読み取られた画像データ以外の画像データとは、例えば、コンピュータやサーバ等の外部装置から通信ＩＦ７４を介して印刷指示されたプリント用画像データを意味している。
【０１１１】
階調補正処理部９５は、スキャナ部７７により読み取られたコピー用画像データの階調を階調補正データ格納部９４に格納されているコピー画像用の階調補正データに基づいて補正する。また、階調補正処理部９５は、スキャナ部７７により読み取られたコピー用画像データ以外の画像データ、ここでは通信ＩＦ７４を介して受け付けられたプリント用画像データの階調を階調補正データ格納部９４に格納されているプリント画像用の階調補正データに基づいて補正する。
【０１１２】
なお、階調補正処理部９５は、プリンタ部３３０によって印刷しようとする全ての画像データに対して階調補正処理を行なう必要はない。印刷しようとする画像データに対して階調補正を行なうか否かを選択するための階調補正選択手段を設け、ユーザは、この階調補正選択手段によって出力しようとする画像データに対する階調補正の有無を選択することができるようにしてもよい。
【０１１３】
テスト画像データ格納部９６は、それぞれ濃度が異なる複数の基準パッチからなるテスト画像データを格納している。なお、コピー画像用の階調補正データを作成する際のテスト画像とプリント画像用の階調補正データを作成する際のテスト画像は、かならずしも同一のテスト画像である必要はなく、同一のものでも良いし、異なるものであっても良い。
【０１１４】
プリンタ部７８は、階調補正処理部９５により階調補正が行なわれた後の画像データに基づいて形成した画像を印刷する。
【０１１５】
次に、本実施形態の画像形成装置８０の動作について図面を参照して詳細に説明する。
【０１１６】
本実施形態の画像形成装置８０はキャリブレーションモードに入った場合、図１７に示したようなユーザインタフェース装置７６により、図１９に示すような表示が行なわれる。
【０１１７】
この図１９には、スキャナキャリブレーションの実施を指示するためのボタン１４１と、コピー画像用のプリンタキャリブレーションの実施を指示するためのボタン１４２と、プリント画像用のプリンタキャリブレーションの実施を指示するためのボタン１４３が表示されている。
【０１１８】
スキャナキャリブレーションは、プリンタキャリブレーションの実施直前に行なっても良いが、スキャナ装置の固体間の測定感度差やスキャナ装置の経時的な測定感度変化を校正するものなので、プリンタキャリブレーション実施の都度行なう必要性は低い。そのため、プリンタキャリブレーションとは独立して、画像形成装置の設置時や月１回等の定期的な期間毎にスキャナキャリブレーションを実施するようにすればよい。
【０１１９】
このような理由により、スキャナキャリブレーションを実施するためのボタン１４１と、プリンタキャリブレーションを実施するためのボタン１４２、１４３とが独立して設けられている。
【０１２０】
先ず、ユーザがスキャナキャリブレーションの実施を指示するためのボタン１４１を操作すると、本実施形態の画像形成装置８０では、プリンタキャリブレーションに先立ってスキャナキャリブレーションが行なわれる。このスキャナキャリブレーションの処理は、図６のフローチャートにより説明した処理と同様であるため説明は省略する。
【０１２１】
そして、ユーザがプリンタキャリブレーションの実施を指示するためのボタン１４２、１４３のいずれかを操作した場合、プリンタキャリブレーションが実施される。本実施形態におけるプリンタキャリブレーションの処理の流れを図２０のフローチャートを参照して説明する。
【０１２２】
先ず、キャリブレーション処理の開始が指示されると、テスト画像データ格納部９６は、それぞれ濃度が異なる複数の基準パッチからなるテスト画像をプリンタ部７８に出力して印刷用紙等の記録紙上に形成する（Ｓ１０１）。このテスト画像は、図３に示したものと同様な構成となっている。
【０１２３】
そして、ユーザがこのテスト画像が形成された記録紙を画像形成装置のスキャナ部７７にセットして画像読み取り開始の指示を行うと、スキャナ部７７は、このテスト画像の読み取りを行なう（Ｓ１０２）。すると、階調補正データ作成部７７は、読み取ったテスト画像の画像データから各基準パッチの濃度を検出する（Ｓ１０３）。
【０１２４】
次に、本実施形態における階調補正データ作成部９３は、作成が指示された階調補正データは、コピー画像用なのかプリント画像用なのかの判定を行う（Ｓ１０４）。
【０１２５】
図１９に示したユーザインタフェース画面においてユーザが作成を指示したプリンタキャリブレーションがプリント画像用の場合、つまり作成が指示された階調補正データがプリント画像用の場合、階調補正データ作成部９３は、スキャナ部７７により読み取られたテスト画像の画像データに対して、スキャナ補正データ格納部９２に格納されているスキャナ補正データを適用して階調補正データを作成する（Ｓ１０５）。
【０１２６】
また、図１９に示したユーザインタフェース画面においてユーザが作成を指示したプリンタキャリブレーションがコピー画像用の場合、つまり作成が指示された階調補正データがコピー画像用の場合、階調補正データ作成部９３は、スキャナ部７７により読み取られたテスト画像の画像データに対して、スキャナ補正データ格納部９２に格納されているスキャナ補正データを適用せずに階調補正データを作成する（Ｓ１０６）。
【０１２７】
次に、本実施形態における画像形成装置８０の動作を図２１を参照して説明する。
【０１２８】
ここでは、スキャナ部７７の階調特性には目標スキャナ装置の階調特性に対してβ倍という階調特性の誤差が含まれ、プリンタ部７８の階調特性にはα倍という目標階調特性に対する誤差が含まれるものとする。なお、階調特性の誤差は単純には倍率で示されるものではないが、ここでは説明を簡単にするために倍率で示すものとする。
【０１２９】
まず、スキャナキャリブレーションが行なわれることにより、スキャナ補正データ作成部９１は、スキャナ部７８の測定感度を修正するためのスキャナ補正データを作成してスキャナ補正データ格納部９２に格納する。ここでは、スキャナ部７７はβ倍という測定感度の誤差を有するため、スキャナ補正データは１／βという特性を有するデータとなる。
【０１３０】
次に、プリンタキャリブレーションが開始されると、テスト画像データ格納部９６は、プリンタ部７８に対してテスト画像の印刷を指示する。すると、プリンタ部７８はテスト画像を印刷するが、このテスト画像の階調特性にはα倍の誤差が含まれることになる。
【０１３１】
このテスト画像がスキャナ部７７により読み取られると、読み取られた画像データにはプリンタ部７８の階調特性誤差αとスキャナ部７７の誤差βの両方が含まれることになり、αβという誤差が発生してしまう。
【０１３２】
ここで、本実施形態における階調補正データ作成部９３は、プリント画像用の階調補正データを作成する場合、スキャナ補正データ格納部３１５に格納されているスキャナ補正データ（１／β）に基づいて、テスト画像の画像データの階調補正を行なうため、テスト画像データ中のαβという誤差はαのみとなる。そして、階調補正データ作成部９３は、この誤差がαのみのテスト画像データに基づいて階調補正データを作成するため、プリント画像用の階調補正データの特性は１／αとなる。
【０１３３】
そして、本実施形態における階調補正データ作成部９３は、コピー画像用の階調補正データを作成する場合、スキャナ補正データ格納部３１５に格納されているスキャナ補正データ（１／β）を用いた階調補正は行なわないため、テスト画像データ中のαβという誤差はそのままとなる。そして、階調補正データ作成部９３は、この誤差がαβのテスト画像データに基づいて階調補正データを作成するため、コピー画像用の階調補正データの特性は１／αβとなる。
【０１３４】
そして、階調補正処理部９５では、スキャナ部７７からのコピー用画像データ（β）に対しては、コピー画像用の階調補正データ（１／αβ）を用いた階調補正が行なわれ、通信ＩＦ７４を介して受け付けたプリント用画像データに対しては、プリント画像用の階調補正データ（１／α）を用いた階調補正が行なわれる。その結果、階調補正処理部９５からプリンタ部７８に対して出力される画像データは、いずれの場合も１／αという階調誤差が含まれた画像データとなる。そのため、コピー用画像データもプリント用画像データも最終的にプリンタ部７８により出力される際には、プリンタ部７８における階調特性誤差αは打ち消され、印刷された原稿の階調特性は目標階調特性に近いものとなる。
【０１３５】
このように本実施形態の画像形成装置８０では、スキャナ部７７でコピー原稿を読み取ってプリント部７８で印刷するコピー処理を行う場合でも、通信ＩＦ７４を介して入力された画像データを印刷する印刷処理を行う場合でも、出力される画像の階調特性は目標階調特性と一致したものとなる。
【０１３６】
（第２の実施形態）
次に、本発明の第２の実施形態の画像形成装置について説明する。
【０１３７】
図１８に示した第１の実施形態では、階調補正データ作成部９３は、プリント画像用の階調補正データとコピー画像用の階調補正データをそれぞれ異なるタイミングにより、それぞれのテスト画像を用いて作成していた。
【０１３８】
この理由としては、プリンタキャリブレーションはプリンタ装置の階調特性を補正するものなので、プリンタ装置におけるスクリーン構造（解像度や階調数）に応じて実施する必要があるからである。つまり、コピー画像とプリント画像で異なるスクリーン構造を使用する画像形成システムでは、第１の実施形態のように画像データの種類に応じて異なるタイミングでそれぞれのスクリーン構造を使用したテスト画像を用いて階調補正データを作成する必要がある。しかし、コピー画像とプリント画像で同じスクリーン構造を使用する画像形成システムでは、コピー画像用の階調補正データとプリント画像用の階調補正データをそれぞれ異なるタイミングで作成する必要はない。
【０１３９】
そのため、本実施形態における階調補正データ作成部９３は、スキャナ部７７により読み取られたコピー用画像データのスクリーン構造と、プリント用画像データのスクリーン構造が同じ場合、コピー画像用の階調補正データとプリント画像用の階調補正データを同一のテスト画像を用いて同一の処理により作成する。ここで、使用するテスト画像としては、同じスクリーン構造でパッチそのものがコピー用、プリンタ用で共通なテスト画像でも良いし、１枚の用紙内にコピー、プリンタそれぞれ別のパッチを並べたようなテスト画像でも良い。
【０１４０】
このように、本実施形態の画像形成装置では、１回のプリンタキャリブレーションの実施時に、スキャナ補正データを適用する場合としない場合の２種類の階調補正データが同時に作成される。
【０１４１】
本実施形態の画像形成装置では、図２２に示すユーザインタフェースのように、スキャナキャリブレーションの実施を指示するためのボタン１６１と、プリンタキャリブレーションの実施を指示するためのボタン１６２がそれぞれ１つ表示されている。
【０１４２】
そして、プリンタキャリブレーションの実施を指示するためのボタン１６２が操作されると、コピー画像用の階調補正データとプリント画像用の階調補正データが同じタイミングで作成される。
【０１４３】
本実施形態の画像形成装置の動作を図２３のフローチャートを参照して説明する。
【０１４４】
図２３のフローチャートにおいて、Ｓ１０１からＳ１０３のステップは、図２０に示した第１の実施形態におけるフローチャートと同様な処理であるためその説明は省略する。
【０１４５】
また、本実施形態の画像形成装置の基本的な構成は、図１８に示した第１の実施形態の画像形成装置の構成と同様であるため、図１８に示した構成を参照して本実施形態の画像形成装置の説明を行なう。
【０１４６】
階調補正処理部９５は、スキャナ補正データを適用せずにコピー画像用の階調補正データを作成し（Ｓ１７４）、スキャナ補正データを適用してプリント画像用の階調補正データを作成する（Ｓ１７５）。そして、作成されたコピー画像用およびプリント画像用の階調補正データは、それぞれ階調補正データ格納部９４に格納される。
【０１４７】
なお、Ｓ１７４とＳ１７５のステップは、どちらを先に処理しても良いためＳ１７５とＳ１７４の処理の順番を逆にしても良い。
【０１４８】
（第３の実施形態）
次に、本発明の第３の実施形態の画像形成装置について説明する。
【０１４９】
上記第１および第２の実施形態の画像形成装置では、階調補正データ作成部９３は、プリンタ画像に対するプリンタキャリブレーションの際にはスキャナ補正データを適用し、コピー画像に対するプリンタキャリブレーションの際にはスキャナ補正データを適用しないようにしていた。しかし、このようにスキャナ補正データの適用の有無を固定すると、システム構成によっては階調補正が適切に行なわれない場合がある。
【０１５０】
例えば、スキャナ装置を有する画像形成装置に対して外部に別のスキャナ装置を接続し、この接続されたスキャナ装置によりテスト画像を読み取ってプリンタキャリブレーションを行なうような場合もある。このようなシステム構成の場合には、コピー原稿画像は画像形成装置に備え付けられたスキャナ装置により読み取られるため、テスト画像を読み取るスキャナ装置とコピー原稿画像を読み取るスキャナ装置が異なることになる。
【０１５１】
そのため、階調補正データ作成部においてコピー画像用の階調補正データを作成する際に、スキャナ補正データを適用しないとすると外部に接続されたスキャナ装置の階調特性と画像形成装置に備え付けられたスキャナ装置の階調特性が異なる場合、最終的な階調特性が目標値から大幅にずれてしまうことになる。
【０１５２】
そのため、本実施形態の画像形成装置では、プリンタキャリブレーションを実施して階調補正データを作成する際に、スキャナ補正データ適用の有無を選択できるようにしている。
【０１５３】
本実施形態の画像形成装置の構成を図２４に示す。本実施形態の画像形成装置は、図２４に示されるように、図１８に示した第１の実施形態の画像形成装置に対して、適用有無選択部３０１が追加されている点が異なっている。
【０１５４】
適用有無選択部３０１は、プリンタキャリブレーションの実施の際のスキャナ補正データの適用の有無を選択する
そして、本実施形態における階調補正データ作成部９３は、この適用有無選択部３０１の選択結果に基づいてスキャナ補正データを適用するか否かの判定し、この判定結果に基づいてプリンタ画像用およびコピー画象用の階調補正データを作成する。
【０１５５】
本実施形態の画像形成装置におけるユーザインタフェース表示の一例を図２５に示す。
【０１５６】
図２５に示す例では、スキャナキャリブレーションの適用の有無を選択するためのオンボタン１９１およびオフボタン１９２が設けられている点が図１９に示したユーザインタフェースとは異なっている。
【０１５７】
（第４の実施形態）
次に、本発明の第４の実施形態の画像形成装置について説明する。
【０１５８】
上記の第３の実施形態においても説明したように、スキャナ装置を有する画像形成装置に対して外部に別のスキャナ装置を接続するような場合もある。このようなシステム構成の場合は、画像形成装置に複数のスキャナ装置が存在することになる。
【０１５９】
本実施形態の画像形成装置はこのように複数のスキャナ装置が存在するようなシステム構成の場合に本発明を適用したものである。ここでは、説明を簡単にするためにスキャナ装置Ａ、スキャナ装置Ｂという２つのスキャナ装置が画像形成システムに存在するものとして説明する。
【０１６０】
本実施形態の画像形成装置におけるユーザインタフェース表示の一例を図２６に示す。
【０１６１】
本実施形態では、スキャナキャリブレーションは、スキャナ装置Ａ、Ｂ毎に実施可能となっており、図２６に示す例ではスキャナ装置Ａ、Ｂ毎にスキャナキャリブレーションの実施を指示するためのスキャナＡボタン２１１、スキャナＢボタン２１２が設けられている。このスキャナＡ、Ｂボタン２１１、２１２が操作されると、スキャナ装置Ａ、Ｂ毎にスキャナキャリブレーションが実施され、スキャナＡ用のスキャナ補正データ、スキャナＢ用のスキャナ補正データがそれぞれ作成される。
【０１６２】
そして、プリンタキャリブレーションを実施する際には、スキャナＡまたはスキャナＢ用のスキャナ補正データを適用するかスキャナ補正データを適用しないかを、ボタン２１３〜２１５により選択することができるようになっている。
【０１６３】
例えば、スキャナ装置Ａにより読み取ったテスト画像データに対してスキャナ装置Ａ用のスキャナ補正データを適用すると、スキャナ装置の階調誤差を排除したプリント画像用の階調補正データが作成される。また、スキャナ装置Ｂにより読み取ったテスト画像データに対してスキャナ装置Ｂ用のスキャナ補正データを適用しても、スキャナ装置の階調誤差を排除したプリント画像用の階調補正データが作成される。
【０１６４】
また、スキャナ装置Ａにより読み取ったテスト画像データに対していずれのスキャナ補正データも適用しない場合、スキャナ装置Ａによりコピーを行なう場合のコピー画像用の階調補正データが作成される。また、スキャナ装置Ｂにより読み取ったテスト画像データに対していずれのスキャナ補正データも適用しない場合、スキャナ装置Ｂによりコピーを行なう場合のコピー画像用の階調補正データが作成される。
【０１６５】
このような場合、コピー画像用の階調補正データは、スキャナ装置Ａに対応したデータと、スキャナ装置Ｂに対応したデータの２種類作成されることになる。
【０１６６】
そして、階調補正処理部は、スキャナ装置Ａを用いたコピーが行なわれる場合には、スキャナ装置Ａに対応したコピー画像用の階調補正データにより階調補正を行なう。そして、スキャナ装置Ｂを用いたコピーが行なわれる場合には、階調補正処理部は、スキャナ装置Ｂに対応したコピー画像用の階調補正データにより階調補正を行なう。
【０１６７】
本実施形態の画像形成装置によれば、プリンタキャリブレーション実施の際に、テスト画像の読み取りの際に使用したスキャナ装置と、画像形成システムに備え付けられたスキャナ装置のそれぞれのスキャナ感度に応じて、スキャナキャリブレーション機能を適用するか否かをユーザが選択することができるようにしているので高精度な階調補正を実施することが可能となる。
【０１６８】
（第５の実施形態）
次に、本発明の第５の実施形態の画像形成装置について説明する。
【０１６９】
上記第１から第４の実施形態の画像形成装置では、階調補正処理部は、印刷処理を行おうとする画像データがコピー用の画像データなのかプリント用の画像データなのかに応じて階調補正の際に使用する階調補正データを切り替えていた。しかし、画像形成装置に備えられたスキャナ装置で読み取った画像データをパーソナルコンピュータ等の端末装置に保存しておき、後日その画像データを印刷するような場合もある。このような場合には、プリント用の画像データであってもコピー画像用の階調補正データによる階調補正処理を行なったほうが高精度の階調補正を実現することができるはずである。
【０１７０】
また、第４の実施形態のように複数のスキャナ装置が存在する場合、どのスキャナ装置により読み取られたかに応じて使用する階調補正データを選択する必要がある。
【０１７１】
このような手間を省略するため、本実施形態では、スキャナ装置で読み取られた画像データには、読み取られる際に使用されたスキャナ装置を特定する情報を属性データとして付加するようにする。
【０１７２】
そして、階調補正処理部は、画像データからこの属性データを抽出して、抽出された属性データに応じて階調補正を行なう階調補正データを選択して使用するようにする。
【０１７３】
このような構成とすることにより、画像データがどのスキャナ装置で読み取られたということをユーザが記憶しておいて印刷の際に指定しなくても、最適な階調補正データが自動的に選択されることになる。
【０１７４】
[変形例]
上記実施形態では、階調補正処理部が画像処理部の内部に設けられている場合を用いて説明したが、本発明はこれに限定されるものではなく、階調補正処理部が画像処理部の外部に設けられている場合や、プリンタ部の内部に設けられている場合でも同様に本発明を適用することができるものである。
【０１７５】
また、上記実施形態では、プリンタキャリブレーションおよびスキャナキャリブレーションを行なうためのスキャナ補正データ作成部、スキャナ補正データ格納部、階調補正データ作成部、階調補正データ格納部が、画像処理部内に設けられた構成を用いて説明したが、本発明はこのような構成に限定されるものではない。
【０１７６】
これらの、スキャナ補正データ作成部、スキャナ補正データ格納部、階調補正データ作成部、階調補正データ格納部によりプリンタキャリブレーション装置を構成して、画像処理部の外部に設けるようにしてもよい。また、このキャリブレーション装置を画像形成装置の外部に構成するようにしてもよい。このようにして構成されたキャリブレーション装置は、画像形成システムに接続されてしようされる。
【０１７７】
さらに、上記の実施形態では、階調補正データ作成部は、プリンタキャリブレーションの際にスキャナ補正データを適用するか否かを選択するのみであったが、本発明はこのような処理に限定されるものではない。例えば、階調補正データ作成部は、スキャナ補正データを１００％そのまま適用するのではなく、標準スキャナの補正データとの差分の５０％のみを適用し、スキャナの測定感度差の５０％のみ補正するようにしても良い。
【図面の簡単な説明】
【０１７８】
【図１】キャリブレーションを行う画像形成装置の一例を示す図である。
【図２】画像形成装置において実施されるキャリブレーション処理を説明するためのフローチャートである。
【図３】キャリブレーション処理に用いられるテスト画像の一例を示す図である。
【図４】階調補正データ作成部３１６により作成される階調補正データの一例を示す図である。
【図５】図１に示した画像形成装置の動作を説明するための図である。
【図６】図５に示した画像形成装置の動作を順次説明した図である。
【図７】スキャナキャリブレーションを行なう画像形成装置の構成を示す図である。
【図８】スキャナキャリブレーションの処理を説明するためのフローチャートである。
【図９】基準原稿画像を測定した測定結果の一例を示す図である。
【図１０】基準原稿画像を測定した測定結果に基づいて作成されたスキャナ補正データの一例を示す図である。
【図１１】図７に示した画像形成装置の動作を説明するための図である。
【図１２】図１１に示した画像形成装置の動作を順次説明した図である。
【図１３】図７に示した画像形成装置においてあるコピー原稿をコピーした場合およびプリント用画像データをプリントした場合の動作を説明するための図である。
【図１４】図１３に示した画像形成装置の動作を順次説明した図である。
【図１５】本発明の第１の実施形態の画像形成装置８０を含む画像処理システムの構成を示す図である。
【図１６】本発明を適用する画像形成装置８０の構成を図１６に示す。
【図１７】本発明の第１の実施形態の画像形成装置８０のハードウェア構成を示す図である。
【図１８】本発明の第１の実施形態の画像形成装置８０の機能構成を示すブロック図である。
【図１９】本発明の第１の実施形態の画像形成装置８０における、ユーザインタフェース装置７６による表示の一例を示す図である。
【図２０】本発明の第１の実施形態の画像形成装置８０の動作を示すフローチャートである。
【図２１】本発明の第１の実施形態の画像形成装置８０の動作を説明するための図である。
【図２２】本発明の第２の実施形態の画像形成装置における、ユーザインタフェース表示の一例を示す図である。
【図２３】本発明の第２の実施形態の画像形成装置の動作を示すフローチャートである。
【図２４】本発明の第３の実施形態の画像形成装置の機能構成を示すブロック図である。
【図２５】本発明の第３の実施形態の画像形成装置における、ユーザインタフェース表示の一例を示す図である。
【図２６】本発明の第４の実施形態の画像形成装置における、ユーザインタフェース表示の一例を示す図である。
【符号の説明】
【０１７９】
１Ｙ、１Ｍ、１Ｃ、１Ｋ    感光体ドラム
２Ｙ、２Ｍ、２Ｃ、２Ｋ    帯電器
３    露光部
４Ｙ、４Ｍ、４Ｃ、４Ｋ    現像機
５Ｙ、５Ｍ、５Ｃ、５Ｋ    １次転写ロール
６Ｙ、６Ｍ、６Ｃ、６Ｋ    クリーニング装置
１０Ｙ、１０Ｍ、１０Ｃ、１０Ｋ    画像形成ユニット
１１    ユーザインタフェース
１２ａ、１２ｂ、１２ｃ    用紙トレイ
１３    手差部
１４    搬送ロール
１５    ２次転写ロール
１６    定着器
１７、１８、１９    搬送ロール
２０    中間転写ベルト
２１    駆動ロール
２２    従動ロール
２３    テンションロール
３１    第１のトレイ
３２    第２のトレイ
３５    階調処理部
３９    トナーボックス
４０    画像形成部
４２    ユーザインタフェース画面
５０    画像読取部
５１    プラテン
５２    プラテンカバー
５３    ランプ
５４    センサ
５５    光学系
６０    端末装置
６６    制御バス
６８    ＣＰＵ
６９    メモリ
７０    ネットワーク
７２    記憶装置
７４    通信インタフェース（ＩＦ）
７６    ユーザインタフェース（ＵＩ）装置
７７    スキャナ部
７８    プリンタ部
８０    画像形成装置
９１    スキャナ補正データ作成部
９２    スキャナ補正データ格納部
９３    階調補正データ作成部
９４    階調補正データ格納部
９５    階調補正処理部
９６    テスト画像データ格納部
１４１    スキャナキャブレーション実施ボタン
１４２、１４３    プリンタキャブレーション実施ボタン
１６１    スキャナキャブレーション実施ボタン
１６２    プリンタキャブレーション実施ボタン
１９１    オンボタン
１９２    オフボタン
２１１    スキャナＡボタン
２１２    スキャナＢボタン
２１３    スキャナＡオンボタン
２１４    スキャナＢオンボタン
２１５    オフボタン
３００    スキャナ部
３０１    適用有無選択部
３１０    画像処理部
３１１    階調補正データ作成部
３１２    階調補正データ格納部
３１３    階調補正処理部
３１４    スキャナ補正データ作成部
３１５    スキャナ補正データ格納部
３１６    階調補正データ作成部
３１７    テスト画像データ格納部
３２０    通信インタフェース（ＩＦ）
３３０    プリンタ部
３４０    画像処理部
Ｓ１０１〜Ｓ１０６      ステップ
Ｓ１７４、Ｓ１７５    ステップ
Ｓ２０１〜Ｓ２０３    ステップ
Ｓ４０１〜Ｓ４０４    ステップ
【図１】
2008022304.tif 000003
【図２】
2008022304.tif 000004
【図３】
2008022304.tif 000005
【図４】
2008022304.tif 000006
【図５】
2008022304.tif 000007
【図６】
2008022304.tif 000008
【図７】
2008022304.tif 000009
【図８】
2008022304.tif 000010
【図９】
2008022304.tif 000011
【図１０】
2008022304.tif 000012
【図１１】
2008022304.tif 000013
【図１２】
2008022304.tif 000014
【図１３】
2008022304.tif 000015
【図１４】
2008022304.tif 000016
【図１５】
2008022304.tif 000017
【図１６】
2008022304.tif 000018
【図１７】
2008022304.tif 000019
【図１８】
2008022304.tif 000020
【図１９】
2008022304.tif 000021
【図２０】
2008022304.tif 000022
【図２１】
2008022304.tif 000023
【図２２】
2008022304.tif 000024
【図２３】
2008022304.tif 000025
【図２４】
2008022304.tif 000026
【図２５】
2008022304.tif 000027
【図２６】
2008022304.tif 000028